(57)【特許請求の範囲】
【請求項１】
側壁と底面を有する植栽部を側壁と底面を有する貯水部上に載置して、貯水部内の水分を導水部で植栽部へ導水する緑化ユニットであって、導水部材を支持体内に収納して該導水部を構成し、該支持体は、下端近傍から所定高さまで開口する導水用穴と、該支持体の外方へ突出する第１の突出部分と、該支持体の外方へ突出し且つ該第１の突出部分より下側に設けられた第２の突出部分とを有し、該植栽部底面に穿設した挿通穴に該支持体を下方から挿通して該第１の突出部分を該挿通穴に挿通し、該第１の突出部分が植栽部底面の上方、該第２の突出部分が植栽部底面の下方に位置するように上下方向に移動規制された状態で該植栽部底面に該支持体を取り付け、該貯水部上に載置された該植栽部の該取付状態の該支持体の下端が貯水部底面の上面に当接することを特徴とする緑化ユニット。
【請求項２】
側壁と底面を有する植栽部を側壁と底面を有する貯水部上に載置して、貯水部内の水分を導水部で植栽部へ導水する緑化ユニットであって、導水部材を支持体内に収納して該導水部を構成し、該支持体は、下端近傍から所定高さまで開口する導水用穴と、該支持体の外方へ突出する第１のフランジと、該支持体の外方へ突出し且つ該第１のフランジより下側に設けられた第２のフランジとを有し、該植栽部底面に穿設した挿通穴に該支持体を下方から挿通して該第１のフランジを該挿通穴に挿通し、該第１のフランジが植栽部底面の上方、該第２のフランジが植栽部底面の下方に位置するように上下方向に移動規制された状態で該植栽部底面に該支持体を取り付け、該貯水部上に載置された該植栽部の該取付状態の該支持体の下端が貯水部底面の上面に当接することを特徴とする緑化ユニット。
【請求項３】
前記支持体に挟持部を設け、該挟持部で前記導水部材を挟持することを特徴とする請求項１又は２記載の緑化ユニット。
【発明の詳細な説明】
【技術分野】
【０００１】
本発明は、例えば貯水部の水分を毛細管現象によって植栽部に導水する緑化ユニットに関する。
【背景技術】
【０００２】
従来、貯水部の水分を毛細管現象によって植栽部に導水する緑化ユニットに関連する技術として、特許文献１のかん水栽培容器がある。前記かん水栽培容器は、かん水等の貯溜容器と、貯溜容器に載置する植物栽培容器本体と、該本体の底板を貫通して貯溜容器内底部又はその近傍に達する多孔質材料からなる吸水体を備え、貯溜容器の高さを栽培容器本体の高さよりも大きくし、吸水体の上端を栽培土中に臨入し、前記吸水体の上端に栽培容器本体底部の上面に係止する係止リングを上下位置調整可能に外嵌固定するものである。
【０００３】
また、他の関連技術として特許文献２には、水を満たす下側部分と、開口付きの上方壁を備える上側部分と、孔を有する底部が水面の上側に配置されるように上側部分で支持された、植物培養基つき植物に用いられる鉢と、鉢の底部を通って植物培養基に水を供給するために、鉢の底部から下側部分へ垂れる芯を備え、芯が鉢の底部に設けた孔を通って鉢の中に延び、鉢ホルダの軸柱が孔を通って上方に突出し、その上端で芯が保持される植物潅水用容器が開示されている。
【０００４】
また、特許文献３には、土壌容器の底面に孔を設け、孔にフランジ付のチューブを取り付け、該チューブ内に数本の繊維を束ねた繊維束を通し、繊維束の上端を土壌内に、下端を水容器の水内にあるようにし、毛細管現象を利用して水容器内の水を吸い上げて土壌を湿らす植木鉢が開示されている。
【０００５】
また、その他の関連技術して特許文献４〜１０がある。
【０００６】
【特許文献１】登録実用新案第３０３２６５２号
【特許文献２】特表平３−５０２４０６号
【特許文献３】実開昭５１−２６１６１号
【特許文献４】特開昭５２−３８３４４号
【特許文献５】特開昭６３−２７３４２３号
【特許文献６】特開平６−９０６２４号
【特許文献７】特開平６−１８１６４１号
【特許文献８】特開平１０−５６８９０号
【特許文献９】登録実用新案第３０４８２９９号
【特許文献１０】実開平２−９６８５０号
【発明の開示】
【発明が解決しようとする課題】
【０００７】
ところで、上記のような植栽部と貯水部を備える緑化ユニットを設置した場合、例えばメンテナンス等を行う時に、植栽部を貯水部から一旦取り外し、植栽部を別の場所に置いて再度戻す作業が必要となるが、かかる作業の際に上記特許文献１〜３の技術では、いずれも導水部が良好に導水できる位置からずれてしまい、吸水性能が悪化するという不具合がある。
【０００８】
即ち、特許文献１のかん水栽培容器では、単に係止リングで多孔質材料の吸水体を係止しているものであるため、メンテナンス等で植物栽培容器本体を貯溜容器から外して別の場所に置いた際に吸水体が上方へ移動してしまう。そのため、植物栽培容器本体を貯溜容器上に載置して戻した場合に、吸水性能が悪化して貯溜容器内の水分を充分に吸水できず、結果的に植物が水不足状態となり、枯れてしまうことになる。
【０００９】
更に、吸水体を上下位置調整可能にすべく、多孔質材料の吸水体に単に係止リングを外嵌して係止するものであるため、例えば植物栽培容器本体上方から外力が加わると吸水体が徐々に落下する虞があるが、吸水体が落下する場合にも、吸水体の上端と土壌の接触面積が小さくなり、吸水性能が悪化する。
【００１０】
また、特許文献２の植物潅水用容器でも同様に、鉢を取り外して別の場所に置いた際、鉢の底部から下側に垂れる柔らかい芯が曲がった状態になり、その状態で容器内に戻した場合に、吸水性能が悪化して容器内の水分を充分吸水できなくなる。そのため、植物が水不足の状態になって枯れてしまう。
【００１１】
また、特許文献３の植木鉢でも同様に、土壌容器を別の場所に置く動作を行った時に、フランジ付チューブ全体が土壌内に入り込んでしまうという不具合が生じ、土壌容器を水容器上に戻した際に、吸水性能が悪化して繊維束が水容器内の水分を充分に吸水できなくなり、植物が水不足の状態になって枯れてしまう。
【００１２】
本発明は上記不具合に鑑みなされたものであり、例えば貯水部の水分を毛細管現象によって植栽部に導水する緑化ユニットに於いて、良好な導水性能或いは吸水性能を安定して発揮させることができる緑化ユニットを提供することを目的とする。
【課題を解決するための手段】
【００１３】
本発明の緑化ユニットは、側壁と底面を有する植栽部を側壁と底面を有する貯水部上に載置して、貯水部内の水分を導水部で植栽部へ導水する緑化ユニットであって、導水部材を支持体内に収納して該導水部を構成し、該支持体は、下端近傍から所定高さまで開口する導水用穴と、該支持体の外方へ突出する第１の突出部分と、該支持体の外方へ突出し且つ該第１の突出部分より下側に設けられた第２の突出部分とを有し、該植栽部底面に穿設した挿通穴に該支持体を下方から挿通して該第１の突出部分を該挿通穴に挿通し、該第１の突出部分が植栽部底面の上方、該第２の突出部分が植栽部底面の下方に位置するように上下方向に移動規制された状態で該植栽部底面に該支持体を取り付け、該貯水部上に載置された該植栽部の該取付状態の該支持体の下端が貯水部底面の上面に当接することを特徴とする。前記緑化ユニットは、主として図４に示す第２実施形態の緑化ユニットに対応し、図１の第１実施形態の第１フランジ３２４を上方から挿通して第２フランジ３２５を植栽部底面１２の上面に当接する構成や、図９の支持体３２を植栽部底面１２に一体形成する構成は前記緑化ユニットから除かれる。
【００１４】
本発明の緑化ユニットは、側壁と底面を有する植栽部を側壁と底面を有する貯水部上に載置して、貯水部内の水分を導水部で植栽部へ導水する緑化ユニットであって、導水部材を支持体内に収納して該導水部を構成し、該支持体は、下端近傍から所定高さまで開口する導水用穴と、該支持体の外方へ突出する第１のフランジと、該支持体の外方へ突出し且つ該第１のフランジより下側に設けられた第２のフランジとを有し、該植栽部底面に穿設した挿通穴に該支持体を下方から挿通して該第１のフランジを該挿通穴に挿通し、該第１のフランジが植栽部底面の上方、該第２のフランジが植栽部底面の下方に位置するように上下方向に移動規制された状態で該植栽部底面に該支持体を取り付け、該貯水部上に載置された該植栽部の該取付状態の該支持体の下端が貯水部底面の上面に当接することを特徴とする。前記緑化ユニットは、主として図４に示す第２実施形態の緑化ユニットに対応し、図１の第１実施形態の第１フランジ３２４を上方から挿通して第２フランジ３２５を植栽部底面１２の上面に当接する構成や、図９の支持体３２を植栽部底面１２に一体形成する構成は前記緑化ユニットから除かれる。
また、導水元部の水分を毛細管現象により導水先部まで導水可能な導水部を支持する構造において、該導水部は導水部材と該導水部材を支持する略筒形の支持体を有し、該導水元部若しくは導水先部の少なくとも一方に該支持体を固着する若しくは一体的に設けるとよい。前記支持体は、例えば着脱可能に固着して設ける、或いは回転等の機械動作で着脱自在に構成する、或いは一体形成して設けると好適である。尚、導水元部は水分を貯留可能な貯水部、導水先部は植物を栽培可能な植栽部とするとよい。
【００１５】
また、導水元部の水分を毛細管現象により導水先部まで導水可能な導水部を支持する構造において、該導水部は硬質の導水部材と該導水部材を支持する支持体を有し、若しくは該導水部は支持部を有する硬質の導水部材であり、該導水元部若しくは導水先部の少なくとも一方に該支持体若しくは該支持部を固着する若しくは一体的に設けるとよい。前記支持体若しくは支持部は、例えば着脱可能に固着して設ける、或いは回転等の機械動作で着脱自在に構成する、或いは一体形成して設けると好適である。
【００１６】
また、支持体若しくは支持部に、外方に突出する第１フランジと第２フランジを上下に所定距離離間して形成し、該第１フランジと該第２フランジとの間に前記導水元部若しくは導水先部の少なくとも一方の一部を介在させ該支持体若しくは支持部を取り付けるとよい。
【００１７】
また、支持体若しくは支持部を取り付ける箇所に非円形の挿通穴を穿設し、第１フランジ若しくは第２フランジの少なくとも一方の外形を非円形に形成し、該挿通穴に該非円形の第１フランジ若しくは第２フランジを挿通して回転することにより、該支持体若しくは支持部を取り付けるとよい。例えば略筒形の支持体の第１フランジ若しくは第２フランジの少なくとも何れか一方の外形を非円形に形成し、取付箇所には非円形のフランジを挿通可能な非円形の挿通穴を形成し、支持体を挿通穴に挿通し、中心軸に対して支持体を回転してフランジを挿通穴に係合固着する。
【００１８】
また、挿通穴近傍に前記回転する角度を規制する規制部を設ける構成や、挿通穴近傍に前記回転する方向を指示する指示部を設ける構成とするとよい。前記指示部は、例えば支持体の取付面の支持体を挿通する側の面に設けるとよいが、両方の側から挿通する可能性がある場合には予め取付面の両側に設けると好適である。
【００１９】
また、導水元部の水分を毛細管現象により導水先部まで導水可能な導水部を支持する構造において、該導水部は導水部材と該導水部材を支持する略筒形の支持体を有するもの、若しくは該導水部は硬質の導水部材と該導水部材を支持する支持体を有するもの、若しくは該導水部は支持部を有する硬質の導水部材であり、該支持体若しくは支持部を該導水元部に固設する構成とするとよい。
【００２０】
また、支持体が導水部材を挟持する挟持部を有することを特徴とする。例えば略筒形の支持体の内面に導水部材を挟持して支持する挟持部を設ける。尚、本発明に於いては、導水部材を支持する適宜の支持部を設けた支持体を用いることが可能である。
【００２１】
また、導水元部の水分を毛細管現象により導水先部まで導水可能な導水部材を支持する構造において、該導水部材を支持する支持体に挟持部を設け、該挟持部で該導水部材を挟持する構成とすると良好である。例えば導水部材を被覆する略筒形の支持体の内面に挟持部を設け、前記挟持部で導水部材を挟持して支持する。尚、例えば略筒形の支持部は、例えば導水元部若しくは導水先部の少なくとも一方に固着する、或いは一体形成して設けると好適である。更に、挟持部を、前記導水部材を被覆する略筒形の支持体の内面から内方に突出する突起とするとよい。
【００２２】
また、導水元部の水分を毛細管現象により導水先部まで導水可能な導水部材を支持する構造において、該導水部材を支持する略筒形の支持体を有し、該支持体に該導水部材を位置決め規制する規制部を設ける構成とするとよい。前記規制部は、例えば略筒形の支持体の下端近傍に設ける。
【００２３】
尚、導水部材には、毛細管現象を生じて導水可能が全て含まれ、例えばガラス繊維束や多孔質セラミックス、熱接着繊維、とうもろこし系繊維、アクリル繊維等や、これらを固化してなる導水棒等でもよく、又、硬質の導水部材と軟質の導水部材が含まれる。
【発明の効果】
【００２４】
本発明の緑化ユニットを使用することにより、例えば貯水部の水分を毛細管現象によって植栽部に導水する導水部等に於いて、良好な導水性能或いは吸水性能を安定して発揮させ、長期に亘って安定した導水性能を維持することができる効果を奏する。
即ち、導水部材を覆う略筒形の支持体や支持部等を導水元部若しくは導水先部に固着する若しくは一体的に設ける構成、例えば支持体や支持部の外方に第１フランジと第２フランジを形成し、第１フランジと第２フランジの間に導水元部若しくは導水先部の一部が介在するように固定する構成等とすることにより、支持体や支持部或いは導水部の移動を規制することができ、貯水部等の導水元部若しくは植栽部等の導水先部を別の場所に置いた場合にも支持体や支持部或いは導水部を導水性能や吸水性能が良好な位置に維持することが可能で、良好な導水性能や吸水性能を維持することができる。又、支持体若しくは支持部を導水元部に固設することにより、導水先部を別の場所に置いた場合にも、支持体や支持部或いは導水部を導水性能や吸水性能が良好な位置に維持することができる。
【００２５】
また、支持体や支持部を着脱可能に設ける場合には、大掛かりなメンテナンス等の作業や導水部や導水部材の交換等を容易化することができて良好であり、又、支持体や支持部を一体的に設ける場合には、部品点数の削減及びそれによる作業の容易化等が可能になって良好である。又、支持体等を導水元部と導水先部の両者に固着し若しくは一体的に設ける場合には、例えば支持体等で植栽部への踏圧を受けることが可能となる。
【００２６】
また、支持体や支持部を取付けられる箇所に、支持体若しくは支持部に形成した第１フランジ若しくは第２フランジの少なくとも何れか一方を挿通可能な非円形の挿通穴を穿設し、挿通する第１フランジ若しくは第２フランジの少なくとも何れか一方の外形も非円形とし、フランジを挿通後に回転して支持部を取付けることにより、簡単な構造で確実に取付けることが可能となる。
【００２７】
また、前記挿通穴近傍に回転角度を規制する規制部を設ける、或いは／及び回転方向を指示する指示部を設けることにより、誰でも取り扱え、正確な取付け作業を容易に行うことができる。
【００２８】
また、支持体に導水部材を挟持する挟持部或いは挟持支持部を設ける構成、例えば支持体の内面から内方に突出する突起により挟持する構成により、簡単な構造で導水部材自体を支持し、導水部材の落下等を未然に防止することができ、結果的に良好な導水性能や吸水性能を維持することができる。
【００２９】
また、支持体の下端近傍等に導水部材の移動を規制して位置決めする規制部を設けることにより、支持体から導水部材が落下することを確実に防止できると共に、導水部材の支持体内への挿入距離を規制でき、誰が挿入しても同一距離の挿入が行え、全ての導水部や導水部材の導水性能を同一化することができる。例えば支持体の上方に導水部材が突出する場合には導水部材の突出距離を一定にすることが可能となり、良好な導水性能を維持することができる。
【００３０】
また、導水元部や導水先部は適宜であるが、導水元部を水分を貯留可能な貯水部とし、導水先部を植物を栽培可能な植栽部とすると、緑化ユニットや緑化エリア等で優れた導水性能や吸水性能を発揮することができ、植物が水不足で枯れるようなことがなく、良好な状態で植物を育成することができる。
【発明を実施するための最良の形態】
【００３１】
以下では実施形態について図面に沿って説明する。尚、各実施形態では、雨水や潅水による水分を貯留可能な上面開放の略箱形容器状の貯水部を導水元部とし、植物を栽培可能で上面開放の略箱形容器状の植栽部を導水先部とし、内部に充填する土壌等の育成材で植物を栽培する植栽部を貯水部上に載置して形成する緑化ユニットについて説明する。前記緑化ユニットは、例えば屋上等に複数敷設され、屋上緑化を図る緑化エリアが形成される。
【００３２】
先ず、第１実施形態について説明する。図１〜図３は第１実施形態に関し、図１は緑化ユニットの断面説明図、図２は支持体の構成図、図３は第１フランジを挿通穴に挿通して回転する動作を説明する図である。
【００３３】
第１実施形態の緑化ユニットは、図１に示すように、側壁１１と底面１２を有する略箱形の植栽部１０を有し、植栽部１０には育成材１３が充填され、育成材１３或いはその上部には例えば芝・セダム・花・木等の植物１４が植えられている。同様に側壁２１と底面２２を有する略箱形の貯水部２０を有し、図には省略したが、側壁２１の上部近傍に貯水部２０内に貯水しきれなかった余剰水を排出する排出穴が穿設され、植栽部１０の底面１２と貯水部２０の水面２３である水位上限との間に空気層が形成されている。又、植栽部１０の底面１２には通水兼通気穴が複数穿設され（図示せず）、前記通水兼通気穴は、雨水や潅水により余剰水が発生した場合に貯水部２０まで余剰水を導くと共に、前記空気層の空気を植物の根に対して与える機能を有する。
【００３４】
また、植栽部１０の底面１２の略中央部には、図２に示す導水部３０の支持体３２を挿通可能な挿通穴１５が穿設され、挿通穴１５は、後述する支持体３２の第１フランジ３２４の外形より僅かに大きく、且つ第１フランジ３２４と相似形に形成されている。更に、挿通穴１５が穿設されている箇所に於ける植栽部１０の底面１２の上面には、後述する支持体３２を回転する際の回転方向を指示する矢印の指示部１６が形成され、又、前記箇所に於ける植栽部１０の底面１２の下面には、第１フランジ３２４の回転を規制する高さの低い第１突出部１７と高さの高い第２突出部１８が形成されている。
【００３５】
導水部３０は、図１及び図２に示すように、繊維束等の導水部材３１と導水部材３１を内部に収納可能な略筒形の支持体３２で構成される。支持体３２は、上端に導水部材３１を挿入可能な開口３２１が形成され、又、導水部材３１の挿入距離を規制するため下端面は閉鎖され、下端部近傍の周壁に貯水部２０の水分を導水部材３１に導くための導水用穴３２２が形成されている。導水用穴３２２は、導水部材３１を水分にできるだけ多く接触させ、確実に導水させるために、下端近傍からある程度高さ方向に高い位置まで開口すると好適である。
【００３６】
支持体３２の略上端には、後述する支持体３２を回転させる際に掴む把持部３２３が外方に突出して形成され、把持部３２３の下端に植栽部底面１２の挿通穴１５に挿通不能な平面視略円形の第２フランジ３２５が外方に突出して形成されており、第２フランジ３２５から植栽部底面１２の板厚と同じか或いは僅かに長い距離を置いて、前記挿通穴１５に挿通可能な第１フランジ３２４が外方に突出して形成されている。第１フランジ３２４は平面視略円形の支持体３２の外面から前後左右四方向に突出する略十字形に形成され、前記突出部分はその下部を上部よりも僅かに平面視面積を小さくして形成されており、挿通穴１５に挿通する挿通作業を容易化するために、挿通の際に最初に挿通穴１５を通過する突出部分をより小さくしている。
【００３７】
導水部３０を植栽部１０の底面１２に取付ける場合には、先ず、支持体３２の上端から導水部材３１を下端閉鎖面に当接するまで挿入し、図３に示すように、導水部材３１を収納した支持体３２を植栽部１０の上方から挿通する。支持体３２は下端面側から挿通していき、第１フランジ３２４を挿通穴１５に挿通して、第２フランジ３２５が植栽部１０の底面１２の上面に当接する位置まで挿入する。尚、支持体３２の第２フランジ３２５から下端までの長さは、植栽部１０を貯水部２０に載置した場合、支持体３２の下端３２が貯水部２０の底面２２の上面に当接する長さ、或いは当接する程度の長さとすると、貯水部２０内の水分を全て無駄なく植栽部１０に導水することが可能となって好適である。
【００３８】
第２フランジ３２５を前記上面への当接位置まで挿通した後には、把持部３２３を掴み、指示部１６で指示された方向に支持体３２を回転する。この際、植栽部底面１２の下面で、回転により第１フランジ３２４が第１突出部１７を乗り越えて通過し、第２突出部１８に当接する位置まで回転する。尚、第１突出部１７はある程度の力で第１フランジ３２４が乗り越えて通過可能な程度の突出高さであり、第２突出部１８はある程度や強い力で回転しても第１フランジ３２４が乗り越えられず通過不能な程度の突出高さを有する。前記第２突出部１８により支持体３２の回転角度を規制することができ、又、第１フランジ３２４が第１突出部１７と第２突出部１８の間に位置することになるので、ある程度の強さの力を加えない限り、支持体３２が逆方向に回転して取り外すことができない或いは外れない構成であり、第１フランジ３２４は前記位置に安定して保持される。従って、導水部３０或いは支持体３２は第１フランジ３２４と第２フランジ３２５で植栽部底面１２を挟み込んだ状態或いは挟持する状態で強固に固定され、所定位置に安定して維持される。
上記第１実施形態の緑化ユニットは、導水部３０或いは支持体３２が植栽部１０に機械的動作で固定されるので、所定位置に安定して取り付けられ、又、所定位置の状態を安定して維持することができる。従って、取り付ける人に依って導水性能が異なるような事態がなく、植栽部１０を取り外してメンテナンスを行った後でもメンテナンス前と同一の良好な導水性能を維持することができる。また、植栽部１０の上方からの力に対して導水部３０や導水部材３１が移動すること等がなく、植物１４を長期に亘り安定して良好な栽培を行うことができる。
【００３９】
次に、本発明の他の実施形態や変形例について説明する。図４及び図５はそれぞれ第２実施形態、第３実施形態の緑化ユニットの断面説明図、図６〜図８は支持体や挿通穴の変形例を示す図、図９は第４実施形態の緑化ユニットの断面説明図及び支持体の断面図である。
【００４０】
第２実施形態の緑化ユニットは、図４に示すように、支持体３２を植栽部底面１２の下方から挿入して固定する構造であり、支持体３２の略上部に挿通穴１５に挿通可能な第１フランジ３２４が上側に設けられ、第１フランジ３２４から植栽部底面１２の板厚と同じか或いは僅かに長い距離を置いて、挿通穴１５に挿通不能な第２フランジ３２５が下側に設けられ、第２フランジ３２５の下側に把持部３２３が設けられている。他の基本的な構成は上記第１実施形態と同様である。前記構成により、例えば導水部３０或いは導水部材３１や支持体３２を取り替える場合等に、育成材１３を取り除かなくても容易に取り替えが可能となる。尚、支持体３２を底面１２の下方から挿入する場合には、指示部１６を底面１２の下面に設けると、取付の際に目視できるので好適である。
【００４１】
また、第３実施形態の緑化ユニットは、図５に示すように、支持体３２を貯水部２０の底面２２に取り付ける構造であり、貯水部底面２２の略中央には、上述した挿通穴１５と同様の構成の挿通穴２４が形成されていると共に、支持体３２の略下部に挿通穴２４に挿通可能な第１フランジ３２４が設けられ、第１フランジ３２４から貯水部底面２２の板厚と同じか或いは僅かに長い距離を置いて、挿通穴２４に挿通不能な第２フランジ３２５が上側に設けられ、第２フランジ３２５の上側に把持部３２３が設けられている。更に、第１フランジ３２４や支持体３２の下部が貯水部底面２２の下面から下方に突出することに対応し、貯水部底面２２の下面から下方に前記第１フランジ３２４や支持体３２の下部による突出部分の長さよりも下方に長い脚部２５を設け、又、支持体３２の上部は植栽部底面１２に固定されず挿通穴１５に挿通されている。他の基本的な構成は上記第１実施形態と同様である。
【００４２】
前記構成で止水が不十分な場合には、第２フランジ３２５と貯水部底面２２の上面との間にパッキン等の止水構造を設けると好適であり、又、挿通穴２４に代えて支持体３２の下端を嵌挿する凹部を貯水部底面２２の上面に設け、前記凹部に支持体３２を嵌挿して固定するようにすることも可能であり、又、上記と同様に支持体３２の挿入側である貯水部底面２２の上面に指示部を設けると、取付の際に回転すべき方向を目視可能となるので好適である。前記構成により、貯水部２０からの水分の漏れを防止しつつ、植栽部１０を貯水部２０から取り外し、別の場所に植栽部１０を置いた場合に植栽部１０を安定した状態で置いておくことができる。又、導水部３０或いは支持体３２は第１フランジ３２４と第２フランジ３２５で貯水部底面１２を挟み込んだ状態或いは挟持する状態で強固に固定され、所定位置に安定して維持される。尚、図４と図５の実施形態を組み合わせ、貯水部２０の底面２２の下側から支持体３２を挿通する構造にしてもよい。
【００４３】
また、支持体３２の変形例として、図６に示すように、例えば第２フランジ３２５から上方には支持体３２の筒状部を設けず、把持部３２３のみを設ける構成とすることにより、育成材１３と導水部材３１との接触面が増大し、育成材１３と導水部材３１が確実に接触させることができると共に、支持体３２の上端からの導水部材３１の突出量を小さくすることも可能となる。
【００４４】
また、第１フランジ３２４と第１フランジ３２４が挿通される挿通穴１５、２４には、第１フランジ３２４と挿通穴１５、２４が共に非円形で、回転により固定或いは支持可能な構成であれば種々の形状が全て含まれ、例えば図７（ａ）のように第１フランジ３２４と挿通穴１５、２４の外形を共に楕円形に形成したものや、図７（ｂ）のように共に長方形に形成したものや、図７（ｃ）のように三角形に形成してもよい。更に、第１フランジ３２４と挿通穴１５、２４の外形は必ずしも相似形にする必要はなく、例えば図７（ｄ）のように第１フランジ３２４の外形は長方形の短辺２辺を円弧状に、挿通穴１５、２４を楕円形に形成したものや、図７（ｅ）のように第１フランジ３２４の外形を楕円形に、挿通穴１５、２４を長方形に形成したものや、図７（ｆ）のように第１フランジ３２４の外形を三角形の各辺略中央を内方向に集めた形状に、挿通穴１５、２４を三角形に形成したものにしてもよい。
【００４５】
また、第２フランジ３２５の形状は、支持体３２を回転して回転角度が規制された時点で挿通穴１５、２４に挿通不能な形状であれば適宜であり、必ずしも全て方向で挿通穴１５、２４に挿通不能な形状である必要はない。例えば図８に示すように、支持体３２の上部に把持部３２３として機能する第２フランジ３２５を左右方向に設け、その下方に第１フランジ３２４（把持部としての役割を持たせてもよい）を前後方向に設け、第１フランジ３２４と第２フランジ３２５共に９０度異なる所定方向で或いは９０度曲げると挿通穴１５を挿通可能な形状とし、下方から挿通する場合には第２フランジ３２５を挿通穴１５に挿通し、支持体３２を略４５度回転させて第２突出部１８に当接して取付けられ、上方から挿通する場合には第１フランジ３２４を挿通穴１５に挿通し、支持体を略１３５度回転させて第２突出部１８に当接して取付ける構造とする。
【００４６】
上記図８の構成のように、第１フランジ３２４を所定角度で挿通穴１５、２４に挿通可能な外形とし、且つ第２フランジ３２５を前記所定角度以外の角度で挿通穴１５、２４に挿通可能な外形とする、或いはその逆とすることにより、支持体３２を上方と下方の両側のうち所望の側から取付けることが可能となり、様々な状況に適応して、確実な取付け作業を容易に行うことができる。この場合には挿通穴１５、２４が穿設された面の上下面ともに指示部１６等を設けると好適であり、又、第１突出部１７及び第２突出部１８は、底面１２、２２の上面と下面のうち少なくとも一面に設ければよいが、上下面共に設けてもよい。
【００４７】
また、上記実施形態では把持部３２３を設けたが、把持部を設けない構成とすることも可能である。また、導水部３０の支持体３２の下端面を完全に閉鎖する構成に限定されず、例えば下端面の一部のみが閉鎖されている構成や閉鎖しない構成とすることも可能であるが、下端面や突出部など導水部材３１の挿入距離を規制する規制部を設けると、作業者に依拠せずに導水性能を一定に保つ挿入作業を行うことが可能となって好適である。
【００４８】
また、図９に示す第４実施形態の構造のように、略筒形の支持体３２を植栽部１０の底面１２（或いは貯水部２０の底面２２）に一体形成するようにしてもよく、前記支持体３２の内面には導水部材３１を挟持して支持する突起３２６或いは突条が４つ設けられ、挟持部に相当する突起３２６で導水部材３１を挟持する構成になっている。尚、他の基本的な構成は第１実施形態等と同様である。前記第４実施形態を用いることで、より一層導水部材３１の移動を規制することが可能となり、より導水性能を維持することができる。
【００４９】
以上、本発明の実施形態や変形例について説明したが、本発明は更に様々な拡張及び変形が可能である。例えば第１実施形態と第４実施形態を組み合わせ、第１実施形態に於ける支持体３２の内面に導水部材３１の挟持部或いは突起３２６を設け、より導水部材３１の導水性能の維持やより作業性の向上を図れる構成としてもよい。
【００５０】
また、上記実施形態では導水元部が貯水部２０、導水先部が植栽部１０の例について説明したが、導水元部や導水先部はこれ以外にも適宜であり、例えば導水元部を単なる水槽とし、導水先部を動物などへ水分を与えるための水飲み場としてもよい。更に、植栽部１０と貯水部２０の場合にも、貯水部２０を植栽部１０から離れた位置に設ける構成や、植栽部１０を下方とし、貯水部２０を上方として設ける構成など適宜である。
【００５１】
また、支持体３２に形成された導水用穴３２２は上記実施形態に限定されるものではなく、支持体３２に多数の導水用穴３２２を穿設する構成や、上記と異なる形状の導水用穴３２２を形成する構成としてもよい。
【００５２】
また、支持体３２及び導水部材３１で構成される導水部３０等の数は、一つに限定されず、複数設ける構成としてもよい。また、支持体３２や導水部３０等の取付位置或いは一体形成する位置は中央に限定されず、例えば緑化ユニットを屋上面等に並設し、緑化エリアを形成する場合は、屋上面の勾配に対して低い位置側に設けると好適であり、低い位置側に設けることで、より多くの貯水部２０の水分を植栽部１０へ導水し、貯水部２０の死に水を減らすことが可能となり、潅水を行う場合は水道費を節約することができると共に、雨水をより多く再利用することができる。また、支持体３２や導水部３０等を側壁等に設ける構成としてもよい。
【００５３】
また、上記機械的動作は第１実施形態に限定されるものではなく、例えば導水部３０の支持体３２等の外形に雄ねじを形成し、取付けられる挿通穴１５、２４に雌ねじを形成し、支持体３２を挿通穴１５、２４に螺合してネジの回転により固定する構成とすることにより、支持体３２或いは導水部３０をより強固に固定することができる。
【００５４】
また、挟持部も第４実施形態の突起３２６に限定されるものではなく、例えば硬質の導水部材３１等自体の外形に雄ねじを形成し、支持体３２の内面に雌ねじを形成し、導水部材３１を回転させ支持体３２に螺合して導水部材３１を支持体３２内に挿入し、導水部材３１を挟持固定する構成にしてもよく、前記構成でより強固に導水部材３１を支持体３２内に固定することができる。
【００５５】
また、導水部材３１の支持体３２の形状、外観、或いは緑化ユニット、植栽部１０、貯水部２０の構成、形状、外観等は上記実施形態に限定されるものではない。
【００５６】
また、導水部３０の固定強度を増すために、挿通穴１５、２４の近傍に於ける植栽部１０や貯水部２０等の底面１２、２２等の板厚を、支持体３２或いは後述する支持部を取り付ける際の回転方向に対して徐々に厚くする構成としてもよい。例えば挿通穴１５に挿通された支持体３２の第１フランジ３２４を支持体３２を取り付ける方へ回転した場合に、徐々に植栽部１０や貯水部２０等の底面１２、２２等により挟持力が増加するように、挿通穴１５、２４の周囲に於ける底面１２、２２等に傾斜面を形成し、前記傾斜面の頂部近傍に第１突出部１７を形成する構成等とする。第１フランジ３２４と第２フランジ３２５との間に介在する植栽部１０や貯水部２０等の底面１２、２２等の板厚が漸次増加する構成で、導水部３０或いは支持体３２等を回転することにより高い挟持力で安定した固着が可能となる。又、前記構成では、傾斜面の頂部に達した後に回転方向の一定距離だけ頂部の板厚を一定に維持する構成や、或いは第２突出部１８を設ける構成とすることが望ましい。
【００５７】
また、本発明には第１突出部１７及び第２突出部１８を設けない場合も包含されるが、第１突出部１７と第２突出部１８の何れか一方或いは双方を設けると好適であり、更に、本発明には、前記突出部を形成する以外に、様々な支持体３２等の回転規制構造が含まれる。
【００５８】
また、上記実施形態のように支持体３２に下端面を設ける等で、導水部材３１を支持体３２で最下端まで覆う構成とすると、導水部材３１を保護することができ好適であるが、支持体３２で導水部材３１の最下端まで覆わない構成とすることも可能である。
【００５９】
また、上記実施形態では植栽部１０の底面１２に支持体３２を取り付ける場合に、導水部材３１の最下端が支持体３２の下端面が覆われているため、導水部材３１の最下端が貯水部２０の底面２２に当接しない構成となっているが、貯水部２２の底面２２で且つ導水部３０或いは支持体３２が略当接して位置する箇所を他の貯水部底面２２よりも低く形成すると、貯水部２０に貯留されている水分をより多く導水することができ好適である。
【００６０】
また、支持体３２を機械的動作により着脱可能な構成、或いは支持体３２内に突起３２６等の挟持部を設ける構成、或いは支持体３２の下端に導水部材３１の挿通距離を規制する規制部を設ける構成は、良好な導水性能を安定して発揮できる、或いは良好な導水性能を長期に亘って維持することができる等の効果を奏し、それぞれ独立した特徴として本発明に包含される。又、本発明の支持体は上記略筒形の支持体３２に限定されず、例えば硬質の導水部材を支持する適宜形状の支持体等が含まれ、更には導水部を支持部を有する硬質の導水部材とし、前記支持部を上記支持体３２と同様に構成したものも本発明に包含される。尚、硬質の導水部材を導水部として用いる場合にも、略筒形の支持体等を設けると導水部材が折れること等を防止することができて好適である。
【産業上の利用可能性】
【００６１】
本発明は、例えば植栽部と貯水部で構成され、屋上等に複数敷設される緑化ユニットに利用することができる。
【図面の簡単な説明】
【００６２】
【図１】第１実施形態の緑化ユニットの断面説明図。
【図２】（ａ）は第１実施形態に関する支持体の正面図、（ｂ）は同図（ａ）のＡ−Ａ矢視図、（ｃ）は同図（ａ）のＢ−Ｂ矢視図、（ｄ）は同図（ａ）のＣ−Ｃ矢視図、（ｅ）は同図（ａ）のＤ−Ｄ矢視図、（ｆ）は同図（ａ）の支持体の斜視図。
【図３】（ａ）は第１実施形態に関する第１フランジを挿通穴に挿通して回転する動作を説明する平面説明図、（ｂ）はその底面説明図。
【図４】第２実施形態の緑化ユニットの断面説明図。
【図５】第３実施形態の緑化ユニットの断面説明図。
【図６】（ａ）は支持体の変形例を示す正面図、（ｂ）は同図（ａ）のＡ−Ａ矢視図、（ｃ）は同図（ａ）のＢ−Ｂ矢視図、（ｄ）は同図（ａ）のＣ−Ｃ矢視図、（ｅ）は同図（ａ）のＤ−Ｄ矢視図、（ｆ）は同図（ａ）の支持体の斜視図。
【図７】（ａ）〜（ｆ）は第１フランジと挿通穴の形状の変形例を示す平面説明図。
【図８】（ａ）は支持体の他の変形例を示す正面図、（ｂ）は同図（ａ）の支持体の第１フランジ及び第２フランジ及び挿通穴を示す平面説明図、（ｃ）は同図（ａ）の支持体の第１フランジ及び第２フランジ及び挿通穴を示す底面説明図。
【図９】（ａ）は第４実施形態の緑化ユニットの断面説明図、（ｂ）は第４実施形態に使用する支持体の断面図。
【符号の説明】
【００６３】
１０  植栽部
２０  貯水部
１２、２２  底面
１３  育成材
１４  植物
１５、２４  挿通穴
１６  指示部
１７  第１突出部
１８  第２突出部
３０  導水部
３１  導水部材
３２  支持体
３２１  開口
３２２  導水用穴
３２３  把持部
３２４  第１フランジ
３２５  第２フランジ
３２６  突起
【図１】
0003615541.tif 000002
【図２】
0003615541.tif 000003
【図３】
0003615541.tif 000004
【図４】
0003615541.tif 000005
【図５】
0003615541.tif 000006
【図６】
0003615541.tif 000007
【図７】
0003615541.tif 000008
【図８】
0003615541.tif 000009
【図９】
0003615541.tif 000010